(57)【要約】      （修正有）【課題】他のランプ機能を備えた非点灯時の見栄えのよいデイタイムランニングランプを提供する。【解決手段】  灯具ボディ12と前面レンズ14で画成した灯室Ｓ内に、ＬＥＤ16a,16b,18と、ＬＥＤの前方の前方凸の湾曲領域216と前方凹の湾曲領域212を有する透明リフレクタ基材21の裏面に反射面22を設けたリフレクタ20を備えたランプ10で、前方凹の領域が第１ＬＥＤ166の光を前方に配光するリフレクタ領域20bとなり、表面側に点刻28を設けた前方凸の領域が背面側の光入射端部24からの第２ＬＥＤ18の光の導光領域20d2となり、第１ＬＥＤを焦点とする導光領域の反射面22d2を一次反射面、リフレクタ領域の反射面22bを二次反射面として、第１ＬＥＤの光でＤＴＬとなる他、導光領域でファッションランプにもなる。リフレクタ背後のＬＥＤは見えず、立体的なリフレクタ基材21の裏面に反射面を設けたので、非点灯時の灯室内に奥行きのあるクリスタル感が生じる。【選択図】  図２
2006164909.tif 000002
【特許請求の範囲】
【請求項１】
灯具ボディと、前記灯具ボディと協働して灯室を画成する前面レンズと、前記灯室内に設けられた光源である複数のＬＥＤと、前記灯室内の前記ＬＥＤの前方に配置された、前方凹の湾曲領域と前方凸の湾曲領域が側方に隣接して形成された透明な合成樹脂製リフレクター基材の裏面側に反射面を設けたリフレクターと、を備えたデイタイムランニングランプであって、
その裏面側に反射面が設けられた前記前方凹の湾曲領域によって、第1のＬＥＤの発光を前方に配光するリフレクター領域が構成され、
その裏面側に反射面が設けられ、その表面側に点刻が設けられた前記前方凸の湾曲領域によって、第２のＬＥＤの光がその背面側の光入射端部から入射して全体が面発光する導光レンズ領域が構成され、
前記導光レンズ領域の反射面は、該反射面の背後に設けられた第1のＬＥＤを焦点とする一次反射面を構成し、前記リフレクター領域の反射面は、前記一次反射面で反射された前記第1のＬＥＤの光を前方に反射する二次反射面を構成することを特徴とするデイタイムランニングランプ。
【請求項２】
前記導光レンズ領域の一次反射面は、前記リフレクター領域の二次反射面の近傍に第２焦点をおく楕円放物面で構成されるとともに、前記二次反射面は、前記楕円放物面の第２焦点を焦点とする回転放物面で構成されたことを特徴とする請求項１に記載のデイタイムランニングランプ。
【請求項３】
前記導光レンズ領域は、背後の前記第1のＬＥＤが隠れる程度の巾の帯状に形成されるとともに、該導光レンズ領域の周りには、前記リフレクター基材に一体的に形成された、前記第1のＬＥＤの光軸を中心とする前方に拡径する回転円筒体領域であってその裏面側に第２の反射面を設けた第２のリフレクター領域が形成されて、前記第1のＬＥＤの発光の一部が前記導光レンズ領域と前記第２のリフレクター領域間の間隙から直接、または第２のリフレクター領域で反射されて前方に配光されることを特徴とする請求項１または２に記載のデイタイムランニングランプ。
【請求項４】
前記導光レンズ領域の光出射端部は、前記リフレクター領域に臨んで設けられて、該導光レンズ領域の光出射端部から出射した光が前記リフレクター領域で反射されて前方に配光されることを特徴とする請求項１〜３のいずれかに記載のデイタイムランニングランプ。
【請求項５】
前記第1のＬＥＤの発光を前方に配光するリフレクター領域の側方に隣接して、前記リフレクター基材に一体的に形成された前方に拡径する回転円筒体領域であってその裏面側に第３の反射面を設けた第３のリフレクター領域が形成され、該第３のリフレクター領域の背後には、第３のＬＥＤが前記第３の反射面の光軸と同軸状に配置されて、第３のＬＥＤの発光が前記第３のリフレクター領域で反射されて前方に配光されることを特徴とする請求項１〜４のいずれかに記載のデイタイムランニングランプ。
【発明の詳細な説明】
【技術分野】
【０００１】
本発明は、自動車の例えばフロントバンパーに内蔵一体化されて使用されるデイタイムランニングランプに係り、特に灯具ボディと前面レンズで画成された灯室内に、光源であるＬＥＤと、ＬＥＤの発光を前方に反射配光するリフレクターとを収容したデイタイムランニングランプに関する。
【背景技術】
【０００２】
デイタイムランニングランプは、昼間に点灯させて歩行者や対向車に車両の存在を知らせるために利用されるもので、例えば自動車のフロントバンパーに内蔵一体化された構造で、クリアランスランプ等の他の標識灯と同様、灯具ボディと前面レンズで画成された灯室内に、光源であるＬＥＤと、前記ＬＥＤの背後に設けられてＬＥＤの発光を前方に反射するリフレクターとを収容して構成されている。
【発明の開示】
【発明が解決しようとする課題】
【０００３】
しかし、従来のデイタイムランニングランプでは、以下の問題があった。
【０００４】
第1に、リフレクターが合成樹脂製リフレクター基材の表面側にアルミ蒸着処理した反射面を設けた構造であるため、灯室の奥行きが狭く感じられ、それだけ見栄えが悪い。
【０００５】
第２に、非点灯時に前面レンズを通して光源であるＬＥＤが透けて見えるため、見栄えが悪い。
【０００６】
第３に、デイタイムランニングランプとしての機能だけしか備わっておらず、他のランプとしての機能も備えた新たな多機能のデイタイムランニングランプが希求されていた。
【０００７】
本発明は、前記従来技術の問題点に鑑みてなされたもので、その目的は、非点灯時の見栄えがよく、多機能ランプとしても利用可能なデイタイムランニングランプを提供することにある。
【課題を解決するための手段】
【０００８】
前記目的を達成するために、請求項１に係るデイタイムランニングランプにおいては、灯具ボディと、前記灯具ボディと協働して灯室を画成する前面レンズと、前記灯室内に設けられた光源である複数のＬＥＤと、前記灯室内の前記ＬＥＤの前方に配置された、前方凹の湾曲領域と前方凸の湾曲領域が側方に隣接して形成された透明な合成樹脂製リフレクター基材の裏面側に反射面を設けたリフレクターと、を備えたデイタイムランニングランプであって、
その裏面側に反射面を設けた前記前方凹の湾曲領域によって、第1のＬＥＤの発光を前方に配光するリフレクター領域を構成し、
その裏面側に反射面を設け、その表面側に点刻を設けた前記前方凸の湾曲領域によって、第２のＬＥＤの光がその背面側の光入射端部から入射して全体が面発光する導光レンズ領域を構成し、
前記導光レンズ領域の反射面で、該反射面の背後に設けた第1のＬＥＤを焦点とする一次反射面を構成し、前記リフレクター領域の反射面で、前記一次反射面で反射された前記第1のＬＥＤの光を前方に反射する二次反射面を構成するようにした。
（作用）第1のＬＥＤの発光が導光レンズ領域の反射面（一次反射面）で反射され、さらにリフレクター領域の反射面（二次反射面）で前方に反射されて、ある程度指向性をもつ第１の配光となる。一方、第２のＬＥＤの発光が導光レンズ領域の光入射端部から入射して導光レンズ領域全体が面発光し、第１の配光よりも輝度の低いほんのりとした第２の配光となる。
【０００９】
また、第1のＬＥＤは、裏面側に反射面が設けられた導光レンズ領域の背後に配置され、第２のＬＥＤは、導光レンズ領域背面側の光入射端部の背後に配置されて、非点灯時には前面レンズを通して第1，第２のＬＥＤのいずれも視認できない。
【００１０】
灯室内に収容されているリフレクターは、前方凹の湾曲領域と前方凸の湾曲領域とが側方に隣接した立体的な透明リフレクター基材の裏面側に反射面が設けられた構造であるため、非点灯時の灯室内に奥行きのあるクリスタル感が生じる。
【００１１】
また、第1のＬＥＤの発光が導光レンズ領域の反射面（一次反射面）で反射され、さらにリフレクター領域の反射面（二次反射面）で前方に反射されて、デイタイムランニングランプの配光となり、第２のＬＥＤの発光が導光レンズ領域の光入射端部から入射して導光レンズ領域全体が面発光して、デイタイムランニングランプの配光とは異なる他のランプの配光となるように構成することもできる。
【００１２】
即ち、第２のＬＥＤをその発光色が第1のＬＥＤの発光色と異なるＬＥＤ、例えば発光色が青色や緑色等の夜間において目立つ鮮やかな色のＬＥＤで構成すれば、第1のＬＥＤを光源とし昼間のみ点灯して指向性のある配光を形成するデイタイムランニングランプの他に、第２のＬＥＤを光源とし夜間のみ点灯してほんのりとした配光を形成するファッションランプとしても利用できる。
【００１３】
また、請求項２においては、請求項１に記載のデイタイムランニングランプにおいて、前記導光レンズ領域の一次反射面を、前記リフレクター領域の二次反射面の近傍に第２焦点をおく楕円放物面で構成するとともに、前記二次反射面を、前記楕円放物面の第２焦点を焦点とする回転放物面で構成するようにした。
（作用）導光レンズ領域の楕円放物反射面の第1焦点にある第1のＬＥＤの発光が楕円放物反射面で反射されて第２焦点に集光するが、この集光点はリフレクター領域の回転放物反射面の焦点に一致するので、回転放物反射面で前方に反射される光は集束光となって、第１の配光の輝度が高くなる。
【００１４】
請求項３においては、請求項１または２に記載のデイタイムランニングランプにおいて、前記導光レンズ領域を、背後の前記第1のＬＥＤが隠れる程度の巾の帯状に形成するとともに、該導光レンズ領域の周りに、前記リフレクター基材に一体的に形成した、前記第1のＬＥＤの光軸を中心とする前方に拡径する回転円筒体領域であってその裏面側に第２の反射面を設けた第２のリフレクター領域を形成して、前記第1のＬＥＤの発光の一部を前記導光レンズ領域と前記第２のリフレクター領域間の間隙から直接、または第２のリフレクター領域で反射されて前方に配光されるように構成した。
（作用）第1のＬＥＤの発光の一部は、第1のＬＥＤの前方を帯状に延在する導光レンズ領域の反射面（一次反射面）とその側方のリフレクター領域の反射面（二次反射面）を介して前方に配光される他、第1のＬＥＤの発光の一部は、導光レンズ領域とその周りの回転円筒体形状の第２のリフレクター領域間の間隙から直接、または第２のリフレクター領域（の反射面）で反射されて、前方に配光されるので、第1のＬＥＤの点灯により発光する前面レンズにおける発光面積および第１の配光の配光範囲が拡大される。
【００１５】
請求項４においては、請求項１〜３のいずれかに記載のデイタイムランニングランプにおいて、前記導光レンズ領域の光出射端部を前記リフレクター領域に臨むように設け、該導光レンズ領域の光出射端部から出射した光が前記リフレクター領域で反射されて前方に配光されるように構成した。
（作用）第２のＬＥＤの発光が導光レンズ領域の光入射端部から入射して導光レンズ領域全体が面発光するとともに、導光レンズ領域の光出射端部から出射した光もリフレクター領域の反射面で前方に反射されて、ランプの配光の形成に寄与するので、第２のＬＥＤの点灯により発光する前面レンズの発光面積および車両前方における配光範囲が拡大される。
【００１６】
請求項５においては、請求項１〜４のいずれかに記載のデイタイムランニングランプにおいて、前記第1のＬＥＤの発光を前方に配光するリフレクター領域の側方に隣接して、前記リフレクター基材に一体的に形成した前方に拡径する回転円筒体領域であってその裏面側に第３の反射面を設けた第３のリフレクター領域を形成し、該第３のリフレクター領域の背後には、第３のＬＥＤが前記第３の反射面の光軸と同軸状に配置して、第３のＬＥＤの発光が前記第３のリフレクター領域で反射されて前方に配光されるように構成した。
（作用）第３のＬＥＤの発光は、直接前方に導かれまたは第３のリフレクター領域の反射面で前方に反射されて、ある程度指向性をもつ輝度の高い第３の配光となり、第1のＬＥＤの発光により形成される第１の配光および第２のＬＥＤの発光により形成される第２の配光と合成されることで、ランプの配光となる。
【００１７】
また、第1のＬＥＤの発光によりデイタイムランニングランプの配光が形成され、第２のＬＥＤの発光によりデイタイムランニングランプの配光とは異なる他のランプの配光が形成されるように構成した場合は、第３のＬＥＤを第1のＬＥＤと同一の発光色のＬＥＤとすることで、第１の配光と第３の配光が合成されてデイタイムランニングランプの配光となる。
【発明の効果】
【００１８】
請求項１に係るデイタイムランニングランプによれば、第1のＬＥＤの光がリフレクター領域で反射されて形成される指向性をもった輝度の高い第１の配光と、第２のＬＥＤの光により導光レンズ領域全体が面発光するほんのりとした第２の配光とが合成された斬新な配光が得られるデイタイムランニングランプを提供できる。
【００１９】
また、非点灯時の灯室内には奥行きのあるクリスタル感が生じるとともに、第１，第２のＬＥＤがリフレクターの背後に隠れて前面レンズから透けて見えないので、非点灯時の見栄えのよいデイタイムランニングランプを提供できる。
【００２０】
また、第1のＬＥＤの発光による指向性のある第１の配光をもつデイタイムランニングランプの他に、第２のＬＥＤの発光によるほんのりとした第２の配光をもつ他のランプ機能を併せもつ多機能デイタイムランニングランプを提供することもできる。
【００２１】
請求項２によれば、ランプ点灯時の配光の輝度が高いので、ランプ点灯時の被視認性が良好となる。
【００２２】
請求項３によれば、ランプ点灯時の前面レンズにおける発光面積および車両前方の配光範囲が拡大されて、ランプ点灯時の被視認性が向上する。
【００２３】
請求項４によれば、第２のＬＥＤ点灯による前面レンズの発光面積および車両前方の配光範囲が拡大されて、ランプ点灯時の被視認性がさらに向上する。
【００２４】
請求項５によれば、第1のＬＥＤの発光による指向性をもった輝度の高い第１の配光と、第２のＬＥＤの発光により導光レンズ領域全体が面発光するほんのりとした第２の配光と、第３のＬＥＤの発光による指向性をもつ輝度の高い第３の配光とが合成されたより斬新な配光が得られるデイタイムランニングランプを提供できる。
【００２５】
また、第１，第３のＬＥＤの発光による指向性のある第１，第３の配光をもつデイタイムランニングランプの他に、第２のＬＥＤの発光によるほんのりとした第２の配光をもつ他のランプ機能を併せもつ多機能デイタイムランニングランプを提供することもできる。
【発明を実施するための最良の形態】
【００２６】
次に、本発明の実施の形態を実施例に基づいて説明する。
【００２７】
図１〜６は本発明の第1の実施例を示し、図１は本発明の第１の実施例である多機能デイタイムランニングランプの斜視図、図２はそれぞれ同ランプの水平断面図、図３はデイタイムランニングランプとしての配光を示す図、図４はファッションランプとしての配光を示す図、図５は同ランプの縦断面図（図２に示す線Ｖ−Ｖに沿う断面図）、図６は同ランプの縦断面図（図２に示す線ＶＩ−ＶＩに沿う断面図）である。
【００２８】
これらの図において、符号１０は、デイタイムランニングランプＡとファッションランプＢを一体化した横長の多機能デイタイムランニングランプ（以下、単に多機能ランプという）で、フロントバンパーのハウジング前面壁５０に設けられた開口部５２にバンパー前面側から取り付けられて、ランプ１０の前面レンズ１４がハウジング前面壁５０とほぼ面一となるように構成されている（図２参照）。
【００２９】
多機能ランプ１０は、灯具ボディ１２と前面レンズ１４で画成された灯室Ｓに、昼間のみ点灯して使用されるデイタイムランニングランプＡの光源である３個の白色ＬＥＤ１６（請求項１における第１のＬＥＤ１６ｂ，１６ｂ、請求項５における第３のＬＥＤ１６ａ）が左右方向等間隔に配置され、両端のＬＥＤ１６ｂ，１６ｂの外側（ランプの巾方向外側）には、夜間のみ点灯して使用されるファッションランプＢの光源である青色ＬＥＤ（請求項１における第２のＬＥＤ）１８がそれぞれ配置されるとともに、ＬＥＤ１６，１８の前方には、ＬＥＤ１６，１８の発光を前方に配光するリフレクター２０が配置されている。
【００３０】
リフレクター２０は、射出成形により所定の立体的形状に成形されたアクリル樹脂製の透明なリフレクター基材２１の裏面側にアルミ蒸着反射面２２を設けて構成されており、非点灯時の灯室Ｓ内には、奥行きのあるクリスタル感が生じる。
【００３１】
リフレクター基材２１は、前方に拡径する回転円筒体領域２１０が左右方向中央部に形成され、その左右両側には、前方凹の湾曲領域２１２が形成され、さらにその左右両外側には、前方に拡径する回転円筒体領域２１４が形成され、さらにその左右両外側には、回転円筒体領域２１４を左右に横切る前方凸の帯状湾曲領域２１６と前方凸のスカート状湾曲領域２１７とが連続するラッパ状領域２１５が形成されて、全体が奥行きのある立体的な形状に構成されている。前方凸の帯状湾曲領域２１６の前面側および前方凸のスカート状湾曲領域２１７の背面側には、それぞれ点刻である縦方向に延びるＶ溝２１８が左右方向等ピッチに設けられている。
【００３２】
そして、リフレクター基材２１の裏面側にアルミ蒸着反射面２２が設けられることで、リフレクター２０の左右方向中央部には、回転円筒体領域２１０の裏面側にアルミ蒸着反射面２２ａを設けた前方に拡径する円筒形状リフレクター領域２０ａが形成され、その左右両外側には、前方凹の湾曲領域２１２の裏面側にアルミ蒸着反射面２２ｂを設けた前方凹の湾曲リフレクター領域２０ｂが形成され、さらにその左右両外側には、回転円筒体領域２１４の裏面側にアルミ蒸着反射面２２ｃを設けた前方に拡径する円筒形状リフレクター領域２０ｃが形成されている。
【００３３】
また、円筒形状リフレクター領域２０ｃの左右両外側には、点刻（Ｖ溝）２１８の設けられた前方凸のスカート状湾曲領域２１７の裏面側にアルミ蒸着反射面２２ｄ１を設けた前方凸のスカート状導光レンズ領域２０ｄ１と、前方凸の帯状湾曲領域２１６の裏面側にアルミ蒸着反射面２２ｄ２を設け前面側に点刻（Ｖ溝）２１８を設けた前方凸の帯状導光レンズ領域２０ｄ２とが連続するラッパ状導光レンズ領域２０ｄが形成され、前方凸の帯状導光レンズ領域２０ｄ２は、円筒形状リフレクター領域２０ｃを左右に横切って延在し、帯状導光レンズ領域２０ｄ２の先端部２０ｄ３は湾曲リフレクター領域２０ｂに臨むように延出している。なお、帯状導光レンズ領域２０ｄ２の巾は、ランプ１０を前方から見たときに、帯状導光レンズ領域２０ｄ２の背後に設けられているＬＥＤ１６ｂが隠れる程度の巾に形成されている。
【００３４】
そして、リフレクター２０の左右方向中央部に位置する円筒形状リフレクター領域２０ａ（のアルミ蒸着反射面２２ａ）は、図３符号Ｌ１０に示すように、リフレクター領域２０ａの背後に配置されている白色ＬＥＤ１６ａの発光を反射して前方に配光するように構成されている。また、図５に示すように、リフレクター領域２０ａ（回転円筒体領域２１０）の上下の外側面２０ａ１およびリフレクター領域２０ａ（回転円筒体領域２１０）のＬＥＤ１６ａに臨む端面には、アルミ蒸着反射面２２ａが形成されておらず、これにより、非点灯時における灯室Ｓ内のクリスタル感が強調されている。
【００３５】
また、帯状導光レンズ領域２０ｄ２と前方凹の湾曲リフレクター領域２０ｂとは、図３符号Ｌ１１に示すように、帯状導光レンズ領域２０ｄ２の背後に配置されている白色ＬＥＤ１６ｂの発光を反射面２２ｄ２，反射面２２ｂで２回反射させて前方に配光するように構成されている。
【００３６】
また、帯状導光レンズ領域２０ｄ２を取り囲む円筒形状リフレクター領域２０ｃは、図３符号Ｌ１２に示すように、リフレクター領域２０ｃの背後に配置されている白色ＬＥＤ１６ｂの発光を反射して前方に配光するように構成されている。また、図６に示すように、リフレクター領域２０ｃ（回転円筒体領域２１４）の外周面２０ｃ１およびリフレクター領域２０ｃ（回転円筒体領域２１４）のＬＥＤ１６ｂに臨む端面には、アルミ蒸着反射面２２ｃが形成されておらず、これにより、非点灯時における灯室Ｓ内のクリスタル感が強調されている。
【００３７】
また、帯状導光レンズ領域２０ｄ２とスカート状導光レンズ領域２０ｄ１との分岐部（ラッパ状導光レンズ領域２０ｄの中央部）の背面側には、アルミ蒸着反射面２２が設けられていない凹曲面状の光入射端部２４が設けられており、光入射端部２４に正対する青色ＬＥＤ１８の発光がこの光入射端部２４から入射して、ラッパ状導光レンズ領域２０ｄ全体が面発光（図４符号Ｌ２２，Ｌ２３参照）するとともに、入射光の一部は、図４符号Ｌ２１，Ｌ２４に示すように出射するように構成されている。
【００３８】
以下、ＬＥＤ１６（１６ａ，１６ｂ）、１８の発光によってそれぞれ形成される配光を詳しく説明する。
【００３９】
図３において、白色ＬＥＤ１６ａの発光の一部は直接前方に配光され、一部は円筒形状リフレクター領域２０ａ（のアルミ蒸着反射面２２あ）で前方に反射されて、デイタイムランニングランプの配光となる（図３号Ｌ１０参照）。
【００４０】
また、ＬＥＤ１６ｂの発光は、帯状導光レンズ領域２０ｄ２の反射面（一次反射面）２２ｄ２により側方（ランプの巾方向内側）に反射され、さらに湾曲リフレクター領域２０ｂの反射面（二次反射面）２２ｂで前方に反射されて、デイタイムランニングランプの配光となる（図３号Ｌ１１参照）。特に、帯状導光レンズ領域２０ｄ２の一次反射面２２ｄ２が、ＬＥＤ１６ｂ配置位置を第１焦点ｆ１とし湾曲リフレクター領域２０ｂの二次反射面２２ｂの近傍位置を第２焦点ｆ２とする楕円放物面で構成されるとともに、二次反射面２２ｂが、前記一次反射面２２ｄ２構成する楕円放物面の第２焦点ｆ２を焦点とする回転放物面で構成されている。このため、ＬＥＤ１６ｂの発光は楕円放物反射面（一次反射面）２２ｄ２で反射されて第２焦点ｆ２に集光するが、この集光点は湾曲リフレクター領域２０ｂの回転放物反射面（二次反射面）２２ｂの焦点に一致するので、回転放物反射面（二次反射面）２２ｂで前方に反射される光は集束光となって、輝度の高い配光Ｌ１１となる。
【００４１】
また、ＬＥＤ１６ｂの発光の一部は、図３の破線で示すように、前方に延在する帯状導光レンズ領域２０ｄ２とその周りの円筒形状リフレクター領域２０ｃとの間隙から直接、または円筒形状リフレクター領域２０ｃ（の反射面２２ｃ）で反射されて、前方に配光される（図３符号Ｌ１２参照）。
【００４２】
なお、前面レンズ１４の裏面における円筒形状リフレクター領域２０ａ，２０ｃに正対する位置には、凸レンズ１４ａが設けられており、リフレクター領域２０ａ，２０ｃで反射された光Ｌ１０，Ｌ１２は凸レンズ１４ａを透過することで集束光として前方に配光されるようになっている。
【００４３】
このように、白色ＬＥＤ１６ａ，１６ｂの点灯により、図３符号Ｌ１０，Ｌ１１，Ｌ１１で示すデイタイムランニングランプの白色の配光が形成される。
一方、図４において、ＬＥＤ１８の発光は、ラッパ状導光レンズ領域２０ｄの光入射端部２４に入射した後、一部は真っ直ぐに透過し、そのまま前方に配光される（図４符号Ｌ２１参照）。
【００４４】
また、光入射端部２４に入射した光の一部は、帯状導光レンズ領域２０ｄ２内に導かれて、前面側の点刻（Ｖ溝）２１８により背面側への反射光が形成されるが、裏面側のアルミ蒸着反射面２２ｄ２で反射されて前方に配光されるため、帯状導光レンズ領域２０ｄ２全体がほんのりと面発光する（図４符号Ｌ２２参照）。
【００４５】
また、光入射端部２４に入射した光の一部は、スカート状導光レンズ領域２０ｄ１内に導かれて、裏面側の点刻（Ｖ溝）２１８により前面側への反射光が形成されて、スカート状導光レンズ領域２０ｄ１全体が面発光する（図４符号Ｌ２３参照）。
【００４６】
さらに、湾曲リフレクター領域２０ｂの反射面２２ｂに臨むように配置されている帯状導光レンズ領域２０ｄ２の先端部２０ｄ３は、光出射端部として作用し、帯状導光レンズ領域２０ｄ２の先端部２０ｄ３から出射した光が湾曲リフレクター領域２０ｂ（の反射面２２ｂ）で反射されて前方に配光される（図４符号Ｌ２４参照）。
【００４７】
このように、青色ＬＥＤ１８の点灯により、図４符号Ｌ２１，Ｌ２２，Ｌ２３，Ｌ２４で示すファッションランプの青色の配光が形成される。
【００４８】
また、白色ＬＥＤ１６ａ，１６ｂを光源とするデイタイムランニングランプＡは、エンジンスイッチをＯＮすることで点灯し、エンジンスイッチをＯＦＦしたりクリアランスランプスイッチをＯＮすることで、消灯する。一方、青色ＬＥＤ１８を光源とするファッションランプＢは、エンジンスイッチをＯＮすることで点灯し、エンジンスイッチをＯＦＦすることで消灯する。
【００４９】
なお、前記した実施例では、デイタイムランニングランプＡの光源であるＬＥＤ１６ａ，１６ｂを白色ＬＥＤ、ファッションランプＢの光源であるＬＥＤ１８を青色発光ＬＥＤとして説明したが、ＬＥＤ１６ａ，１６ｂおよびＬＥＤ１８の発光色は前記実施例に限られるものではなく、法規違反とならない範囲で種々の色に発光するＬＥＤを採用することができる。
【００５０】
また、前記した実施例では、デイタイムランニングランプＡとファッションランプＢを一体化した多機能ランプに本発明を適用した実施例について説明したが、青色ＬＥＤ１８に代えて白色ＬＥＤを使用し、エンジンスイッチをＯＮすることで全てのＬＥＤが点灯し、エンジンスイッチをＯＦＦしたりクリアランスランプスイッチをＯＮすることで、全てのＬＥＤが消灯するように構成することで、昼間のみ点灯するデイタイムランニングランプとして使用することもできる。
【図面の簡単な説明】
【００５１】
【図１】本発明の第１の実施例である多機能デイタイムランニングランプの斜視図である。
【図２】同ランプの水平断面図である。
【図３】デイタイムランニングランプとしての配光を示す図である。
【図４】ファッションランプとしての配光を示す図である。
【図５】同ランプの縦断面図（図２に示す線Ｖ−Ｖに沿う断面図）である。
【図６】同ランプの縦断面図（図２に示す線ＶＩ−ＶＩに沿う断面図）である。
【符号の説明】
【００５２】
１０  多機能デイタイムランニングランプ
１２  灯具ボディ
１４  前面レンズ
Ｓ  灯室
Ａ  デイタイムランニングランプ
Ｂ  ファッションランプ
１６ａ  第３のＬＥＤである白色ＬＥＤ
１６ｂ  第1のＬＥＤである白色ＬＥＤ
１８  第２のＬＥＤである青色ＬＥＤ
２０  リフレクター
２０ａ  円筒形状リフレクター領域
２０ｂ  湾曲リフレクター領域
２０ｃ  円筒形状リフレクター領域
２０ｃ  ラッパ状導光レンズ領域
２０ｄ１  スカート状導光レンズ領域
２０ｄ２  帯状導光レンズ領域
２０ｄ３  帯状導光レンズ領域の光出射端部
２１  透明なアクリル樹脂製のリフレクター基材
２２  アルミ蒸着反射面
２２ａ  円筒形状リフレクター領域のアルミ蒸着反射面
２２ｂ  湾曲リフレクター領域のアルミ蒸着反射面（二次反射面）
２２ｃ  円筒形状リフレクター領域のアルミ蒸着反射面
２２ｄ１  スカート状導光レンズ領域のアルミ蒸着反射面
２２ｄ２  帯状導光レンズ領域のアルミ蒸着反射面（一次反射面）
２４  導光レンズ領域の光入射端部
２８  点刻であるＶ溝
５０  フロントバンパーのハウジング前面壁
２１０  回転円筒体領域
２１２  前方凸の湾曲領域
２１４  回転円筒体領域
２１５  ラッパ状領域
２１６  前方凸の帯状湾曲領域
２１７  前方凸のスカート状湾曲領域
ｆ１  一次反射面の第1焦点
ｆ２  一次反射面の第２焦点
【図１】
2006164909.tif 000003
【図２】
2006164909.tif 000004
【図３】
2006164909.tif 000005
【図４】
2006164909.tif 000006
【図５】
2006164909.tif 000007
【図６】
2006164909.tif 000008